【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
再生機器、管理機器及び前記再生機器と異なる機器である端末機器から構成される情報提示システムであって、
前記再生機器は、
コンテンツを再生し、再生したコンテンツを識別するコンテンツ識別子を前記管理機器へ送信し、
前記管理機器は、
前記コンテンツ識別子を受信して保持し、
前記端末機器からの要求に応じて、保持しているコンテンツ識別子に応じた提示情報を生成し、出力し、
前記端末機器は、
前記提示情報を要求し、前記管理機器から取得して提示する
ことを特徴とする情報提示システム。
【請求項２】
再生機器、及び前記再生機器と異なる機器である端末機器と共に情報提示システムを構成し、コンテンツに係る情報を管理する管理機器であって、
コンテンツを再生する再生装置から、再生したコンテンツを識別するコンテンツ識別子を受信する受信手段と、
受信したコンテンツ識別子を記憶する記憶手段と、
前記記憶手段に記憶されているコンテンツ識別子に基づき、前記端末機器からの要求に応じた提示情報を生成する提示情報生成手段と、
前記提示情報を前記端末機器へ出力する出力手段と
を備えることを特徴とする管理機器。
【請求項３】
前記管理機器は、更に、
複数のコンテンツをそれぞれ識別する各コンテンツ識別子に、各コンテンツの属性を示す属性情報を対応付けて保持する属性情報保持手段を備え、
前記提示情報生成手段は、属性情報保持手段が保持する属性情報のうち、前記受信したコンテンツ識別子に対応する属性情報と、受信したコンテンツ識別子とから前記提示情報を生成する
ことを特徴とする請求項２に記載の管理機器。
【請求項４】
前記管理機器は、更に、
前記属性情報保持手段が保持する属性情報から、前記受信したコンテンツ識別子に対応する属性情報を抽出する抽出手段を備え、
前記記憶手段は、更に、前記受信したコンテンツ識別子と抽出された属性情報とを対応付けたライブラリ情報を記憶し、
前記提示情報生成手段は、前記記憶手段に記憶された前記ライブラリ情報に基づき、前記提示情報を生成する
ことを特徴とする請求項３に記載の管理機器。
【請求項５】
前記属性情報は、複数の項目に分類されており、
前記端末機器からの前記要求は、特定の項目を含み、
前記提示情報は、前記特定の項目を含む属性情報と、その属性情報が対応するコンテンツ識別子とから生成される
ことを特徴とする請求項４に記載の管理機器。
【請求項６】
前記受信手段は、更に、前記コンテンツ識別子の受信と共に、前記コンテンツを再生したユーザを識別するユーザ識別子を受信し、
前記記憶手段は、前記受信したコンテンツ識別子を記憶する場合に、受信したユーザ識別子と対応付けて記憶し、
前記端末機器からの要求は、特定のユーザ識別子を含み、
前記提示情報は、前記特定のユーザ識別子に対応付けて記憶されているコンテンツ識別子に応じて生成される
ことを特徴とする請求項２に記載の管理機器。
【請求項７】
前記管理機器は、更に、
前記受信したコンテンツ識別子に識別されるコンテンツの属性を示す属性情報を、他の機器から取得する属性情報取得手段を備え、
前記記憶手段は、更に、前記受信したコンテンツ識別子と取得した属性情報とを対応付けたライブラリ情報を記憶する
前記提示情報生成手段は、前記記憶手段に記憶された前記ライブラリ情報に基づき、前記提示情報を生成する
ことを特徴とする請求項２に記載の管理機器。
【請求項８】
前記管理機器は、
前記再生機器及び前記端末機器にそれぞれ接続可能な可搬型の記録媒体であり、
前記受信手段は、前記再生機器に接続された場合に、前記コンテンツ識別子を受信し、
前記出力手段は、前記端末機器に接続された場合に、前記提示情報を出力する
ことを特徴とする請求項７に記載の管理機器。
【請求項９】
前記管理機器において、
前記属性情報は、複数の項目に分類されており、
前記端末機器からの要求は、特定の項目を含み、
前記提示情報は、前記特定の項目を含む属性情報と、その属性情報が対応するコンテンツ識別子とから生成される
ことを特徴とする請求項７に記載の管理機器。
【請求項１０】
前記管理機器は、更に、
前記提示情報の取得要求を受け付ける要求受付手段を備え、前記取得要求は、特定のコンテンツ識別子を含み、
前記提示情報は、前記取得要求に含まれる特定のコンテンツ識別子が、前記記憶手段に記憶されているか否かを示す
ことを特徴とする請求項２に記載の管理機器。
【請求項１１】
前記取得要求は、複数のコンテンツ識別子を含み、
前記提示情報は、前記取得要求に含まれる複数のコンテンツ識別子のそれぞれが、前記記憶手段に記憶されているか否かを示す
ことを特徴とする請求項１０に記載の管理機器。
【請求項１２】
前記管理機器は、更に、
第１パスワードを保持するパスワード保持手段と、
前記端末機器から第２パスワードを受信するパスワード受信手段とを備え、
前記提示情報生成手段は、更に、
受信した第２パスワードが前記第１パスワードと一致するか否かを判断し、一致する場合に、前記提示情報を生成する
ことを特徴とする請求項２に記載の管理機器。
【請求項１３】
前記管理機器は、更に、
位置情報と、コンテンツの属性及び位置に依存する広告情報とを保持する情報保持手段と、
複数のコンテンツ識別子と、それらのコンテンツの属性を示す属性情報とを対応付けて保持する属性情報保持手段と、
前記端末機器の現在位置を示す位置情報を取得する位置情報取得手段とを備え、
前記提示情報生成手段は、前記受信したコンテンツ識別子が対応する属性と、取得した位置情報とに依存して広告情報を抽出し、抽出した広告情報を前記提示情報とする
ことを特徴とする請求項２に記載の管理機器。
【請求項１４】
端末機器と共に情報提示システムを構成し、コンテンツに係る情報を管理する管理機器であって、
コンテンツを再生する再生手段と、
再生したコンテンツを識別するコンテンツ識別子を取得する取得手段と、
取得したコンテンツ識別子を記憶する記憶手段と、
前記記憶手段に記憶されているコンテンツ識別子に基づいて、前記端末機器からの要求に応じた提示情報を生成する提示情報生成手段と、
前記提示情報を前記端末機器へ出力する出力手段と
を備えることを特徴とする管理機器。
【請求項１５】
前記コンテンツ及び前記コンテンツ識別子は、可搬型の記録媒体に記録されており、当該記録媒体には、更に、前記コンテンツの属性を示す属性情報が記録されており、
前記取得手段は、更に、
前記記録媒体から前記属性情報を取得し、
前記記憶手段は、更に、
前記取得したコンテンツ識別子に対応付けて、取得した前記属性情報を記憶し、
前記提示情報生成手段は、前記記憶手段に記憶されているコンテンツ識別子と、更に、当該コンテンツ識別子に対応付けられて記憶されている前記属性情報とに基づいて前記提示情報を生成する
ことを特徴とする請求項１４に記載の管理機器。
【請求項１６】
前記コンテンツ識別子は、記録媒体に記録されており、
前記取得手段は、前記記録媒体から読み取ることによって前記コンテンツ識別子を取得する
ことを特徴とする請求項１４に記載の管理機器。
【請求項１７】
前記管理機器は、更に、
前記取得したコンテンツ識別子に識別されるコンテンツの属性を示す属性情報を取得する属性情報取得手段を備え、
前記記憶手段は、更に、前記コンテンツ識別子に対応付けて、取得した属性情報を記憶する
ことを特徴とする請求項１６に記載の管理機器。
【請求項１８】
管理機器及び端末機器と共に情報提示システムを構成し、前記端末機器と異なる機器である再生機器であって、
コンテンツを再生する再生手段と、
再生したコンテンツを識別するコンテンツ識別子を取得する取得手段と、
取得したコンテンツ識別子を前記管理機器へ出力する送信手段とを備え、
前記管理機器は、前記出力されたコンテンツ識別子を受け取って記憶し、記憶しているコンテンツ識別子に基づいて、前記端末機器からの要求に応じた提示情報を生成し、
前記端末機器は、前記管理機器に前記提示情報の取得を要求し、前記提示情報を取得すると、ユーザに提示する
ことを特徴とする再生機器。
【請求項１９】
前記送信手段は、前記取得したコンテンツ識別子を、ユーザを識別するユーザ識別子と共に出力し、
前記管理機器は、複数のユーザ識別子に、各ユーザが再生したコンテンツを識別するコンテンツ識別子を対応付けて保持し、出力された前記コンテンツ識別子及びユーザ識別子を受け取り、受け取ったユーザ識別子に対応付けて受け取ったコンテンツ識別子を記憶し、
前記端末機器からの要求に含まれる特定のユーザ識別子に対応するコンテンツ識別子に応じた前記提示情報を生成する
ことを特徴とする請求項１８に記載の再生機器。
【請求項２０】
前記取得手段は、当該再生機器のユーザからの入力を受け付けることによって前記コンテンツ識別子を取得する
ことを特徴とする請求項１８に記載の再生機器。
【請求項２１】
前記コンテンツ識別子は、記録媒体に記録されており、
前記取得手段は、前記記録媒体から、前記コンテンツ識別子を読み取ることによって前記コンテンツ識別子を取得する
ことを特徴とする請求項１８に記載の再生機器。
【請求項２２】
前記記録媒体は、RFIDタグである
ことを特徴とする請求項２１に記載の利用機器。
【請求項２３】
前記記録媒体は、二次元コードである
ことを特徴とする請求項２１に記載の利用機器。
【請求項２４】
コンテンツを再生する再生機器、コンテンツに係る情報を管理する管理機器と共に、情報提示システムを構成し、前記再生機器と異なる機器である端末機器であって、
外部からの入力を受け付ける入力受付手段と、
受け付けた入力に従って、前記再生機器で再生されたコンテンツを識別するコンテンツ識別子を記憶する管理機器から、前記コンテンツ識別子に応じて生成される提示情報を取得する提示情報取得手段と、
取得した前記提示情報を提示する提示手段と
を備えることを特徴とする端末機器。
【請求項２５】
前記端末機器は、更に、
特定のコンテンツを識別する特定コンテンツ識別子を取得する識別子取得手段を備え、
前記提示情報取得手段は、入力された前記特定コンテンツ識別子が、前記管理機器に記憶されているか否かを示す前記提示情報を、前記管理機器に要求して取得する
ことを特徴とする請求項２４に記載の端末機器。
【請求項２６】
前記入力受付手段は、更に、複数のコンテンツ識別子の入力を受け付け、
前記提示情報取得手段は、更に、それぞれのコンテンツ識別子が前記管理機器に保持されているか否かを示す前記提示情報を要求して取得し、
前記提示手段は、更に、前記提示情報を、保持されているコンテンツ識別子と、保持されていないコンテンツ識別子とを区別して提示する
ことを特徴とする請求項２５に記載の端末機器。
【請求項２７】
前記特定コンテンツ識別子は、前記特定のコンテンツに付されているRFIDタグに記録されており、
前記識別子取得手段は、前記特定コンテンツ識別子を、前記RFIDタグから読み取ることによって取得する
ことを特徴とする請求項２５に記載に端末機器。
【請求項２８】
前記識別子取得手段は、複数のRFIDタグから複数の特定コンテンツ識別子を読み取る機能を備え、
前記提示情報取得手段は、前記複数のコンテンツ識別子がそれぞれ前記管理機器に記憶されているか否かを示す前記提示情報を要求して取得し、
前記提示手段は、前記管理機器に記憶されているコンテンツ識別子と記憶されていないコンテンツ識別子とを区別して提示する
ことを特徴とする請求項２７に記載の端末機器。
【請求項２９】
前記特定コンテンツ識別子は、前記特定のコンテンツに付されている二次元コードに記録されており、
前記識別子取得手段は、前記特定コンテンツ識別子を、前記二次元コードから読み取ることによって取得する
ことを特徴とする請求項２５に記載の端末機器。
【請求項３０】
前記入力受付手段は、コンテンツの属性を分類した特定の項目の入力を受け付け、
前記提示情報取得手段は、前記特定の項目を、前記管理機器へ送信して前記提示情報を要求し、
前記管理機器は、複数のコンテンツの属性を示す複数の項目を、前記コンテンツを識別するコンテンツ識別子と対応付けた属性情報を保持し、
前記提示情報は、前記コンテンツ識別子と対応し、前記特定の項目を含む属性情報に基づいて生成される
ことを特徴とする請求項２４に記載の端末機器。
【請求項３１】
前記管理機器は、複数のユーザをそれぞれ識別するユーザ識別子と、各ユーザが再生したコンテンツを識別するコンテンツ識別子とを対応付けて記憶し、
前記提示情報取得手段は、特定のユーザを識別する特定ユーザ識別子を前記管理機器に送信し、前記特定ユーザ識別子に対応付けられているコンテンツ識別子に応じた前記提示情報を取得する
ことを特徴とする請求項２４に記載の端末機器。
【請求項３２】
再生機器、及び前記再生機器と異なる機器である端末機器と共に情報提示システムを構成し、コンテンツに係る情報を管理する管理機器で用いられる管理方法であって、
受信手段により、コンテンツを再生する再生装置から、再生したコンテンツを識別するコンテンツ識別子を受信する受信ステップと、
記憶手段に、受信したコンテンツ識別子を記憶させる記憶ステップと、
提示情報生成手段により、前記記憶手段に記憶されているコンテンツ識別子に基づき、前記端末機器からの要求に応じた提示情報を生成する提示情報生成ステップと、
出力手段により、前記提示情報を前記端末機器へ出力する出力ステップと
を含むことを特徴とする管理方法。
【請求項３３】
再生機器、及び前記再生機器と異なる機器である端末機器と共に情報提示システムを構成し、コンテンツに係る情報を管理する管理機器で用いられる管理プログラムであって、
受信手段により、コンテンツを再生する再生装置から、再生したコンテンツを識別するコンテンツ識別子を受信する受信ステップと、
記憶手段に、受信したコンテンツ識別子を記憶させる記憶ステップと、
提示情報生成手段により、前記記憶手段に記憶されているコンテンツ識別子に基づき、前記端末機器からの要求に応じた提示情報を生成する提示情報生成ステップと、
出力手段により前記提示情報を前記端末機器へ出力する出力ステップと
を含むことを特徴とする管理プログラム。
【請求項３４】
再生機器、及び前記再生機器と異なる機器である端末機器と共に情報提示システムを構成し、コンテンツに係る情報を管理する管理機器で用いられる管理プログラムを記録した、コンピュータ読み取り可能な記録媒体であって、
前記管理プログラムは、
受信手段により、コンテンツを再生する再生装置から、再生したコンテンツを識別するコンテンツ識別子を受信する受信ステップと、
記憶手段に、受信したコンテンツ識別子を記憶させる記憶ステップと、
提示情報生成手段により、前記記憶手段に記憶されているコンテンツ識別子に基づき、前記端末機器からの要求に応じた提示情報を生成する提示情報生成ステップと、
出力手段により、前記提示情報を前記端末機器へ出力する出力ステップと
を含むことを特徴とする記録媒体。
【請求項３５】
前記コンテンツは、前記記録媒体に記録されており、
前記再生手段は、前記記録媒体に記録されている前記コンテンツを再生する
ことを特徴とする請求項２１に記載の再生装置。
【請求項３６】
前記受信手段は、前記再生装置から、コンテンツを再生したユーザを識別するユーザ識別子を、前記コンテンツ識別子と共に受信し、
前記記憶手段は、ユーザ識別子とライブラリ情報とを対応付けたライブラリ一覧情報を記憶しており、
前記端末装置からの前記要求は、特定ユーザ識別子を含み、
前記提示情報生成手段は、前記記憶手段に記憶されている前記ライブラリ一覧情報から、前記特定ユーザ識別子に対応付けられたライブラリ情報を抽出し、抽出された前記ライブラリ情報に基づき、前記提示情報を生成する
ことを特徴とする請求項４に記載の管理機器。